(57)【要約】【課題】  必要な部分の編集又は頭だし再生等に対応することが可能な状態で動画を記録媒体に記録することができる動画再生装置の提供。【解決手段】  動画再生装置は、画像フレームを示すデータに記録日時情報を付加してハードディスクに記録するデータ記録処理（Ｓ１０）を行い、記録開始アドレスを記憶し（Ｓ４１）、一時停止ボタン又は停止ボタンが押圧されない場合（Ｓ４２：押圧なし）、データ記録処理（Ｓ１０）を行う。動画再生装置は記録一時停止中に一時停止ボタンが押圧された場合（Ｓ４４：一時停止ボタン）、データ記録処理（Ｓ１０）を行い、新転換アドレスを記憶する（Ｓ５１）。動画再生装置は停止ボタンが押圧された場合（Ｓ４２，Ｓ４４：停止ボタン）、記録終了アドレスを記憶し（Ｓ５２）、各種記録情報を記録管理データベースに登録し（Ｓ５３）、記録開始アドレス及び新転換アドレスに識別符号を付加する（Ｓ５４）。【選択図】        図６
2006074632.tif 000002
【特許請求の範囲】
【請求項１】
日時情報が各別に付加された複数の画像フレームからなる動画を記録媒体に記録する記録手段を備え、記録媒体に記録してある動画を再生するようにしてある動画再生装置において、
直前の画像フレームに付加された日時情報よりも所定時間以上遅い日時情報が付加された画像フレームを特定する特定手段と、
該特定手段が特定した画像フレーム、又は該画像フレームの近傍の画像フレームを前記記録手段が記録媒体に記録したアドレスに識別符号を付加する付加手段と
を備えることを特徴とする動画再生装置。
【請求項２】
動画をスキップ再生させるスキップ再生指示を受け付けるスキップ再生受付手段と、
該スキップ再生受付手段がスキップ再生指示を受け付けた場合に、前記識別符号が付加されているアドレス、又は該アドレスに関連付けられたアドレスへスキップして動画を再生する再生手段と
を更に備えることを特徴とする請求項１に記載の動画再生装置。
【請求項３】
前記記録媒体は、ランダムアクセスが可能であり、
静止画を出力させる静止画出力指示を受け付ける静止画出力受付手段と、
該静止画出力受付手段が静止画出力指示を受け付けた場合に、前記識別符号が付加されているアドレス、又は該アドレスに関連付けられたアドレスに記録されている画像フレームを前記記録媒体から読み出して出力する出力手段と
を更に備える
ことを特徴とする請求項１又は２に記載の動画再生装置。
【請求項４】
日時情報が各別に付加された複数の画像フレームからなる動画を記録媒体に記録する記録手段を備え、記録媒体に記録してある動画を再生するようにしてある動画再生装置において、
直前の画像フレームに付加された日時情報よりも所定時間以上遅い日時情報が付加された画像フレームを特定する特定手段と、
該特定手段が特定した画像フレーム、又は該画像フレームの近傍の画像フレームを前記記録手段が記録媒体に記録したアドレスを記憶する記憶手段と
を備えることを特徴とする動画再生装置。
【請求項５】
動画をスキップ再生させるスキップ再生指示を受け付けるスキップ再生受付手段と、
該スキップ再生受付手段がスキップ再生指示を受け付けた場合に、前記記憶手段に記憶してある前記アドレス、又は該アドレスに関連付けられたアドレスへスキップして動画を再生する再生手段と
を更に備えることを特徴とする請求項４に記載の動画再生装置。
【請求項６】
前記記録媒体は、ランダムアクセスが可能であり、
静止画を出力させる静止画出力指示を受け付ける静止画出力受付手段と、
該静止画出力受付手段が静止画出力指示を受け付けた場合に、前記記憶手段に記憶してある前記アドレス、又は該アドレスに関連付けられたアドレスに記録されている画像フレームを前記記録媒体から読み出して出力する出力手段と
を更に備える
ことを特徴とする請求項４又は５に記載の動画再生装置。
【発明の詳細な説明】
【技術分野】
【０００１】
本発明は、複数の画像フレームからなる動画を記録媒体に記録して再生する動画再生装置に関する。
【背景技術】
【０００２】
ビデオレコーダ又はデジタルビデオカメラ等の動画再生装置は、時系列に連続する複数枚の画像フレーム（静止画）を、一定の速度（例えば３０枚／秒）で順次的に記録することで動画を記録する。２台の動画再生装置をケーブルを介して接続した場合には、一方の動画再生装置で記録した動画を、他方の動画再生装置に転送して記録（複製）することができる。また、動画再生装置は、記録媒体に記録してある複数枚の画像フレームを一定の速度で順次的に再生することで動画を再生する。映像の表示機能を備えない動画再生装置では、ケーブルを介してディスプレイ又はテレビ等の表示装置と接続することにより、再生した動画を表示装置にて表示することができる（例えば、特許文献１参照）。
【特許文献１】特開２００２−２６９８９９号公報
【発明の開示】
【発明が解決しようとする課題】
【０００３】
動画再生装置は、動画を記録する記録媒体としてランダムアクセスが可能な記録媒体又はシーケンシャルアクセスの記録媒体のいずれを用いているにせよ、一般的に、動画の記録を開始した時点（以下、記録開始時点という）で記録媒体に記録された画像フレームを識別することは可能であるが、動画の記録を一時停止した後、この一時停止中に記録を再開した時点（以下、記録再開時点という）で記録媒体に記録された画像フレームを識別することはできない。
【０００４】
以上は動画再生装置が自身で動画を記録した場合における問題点であるが、２台の動画再生装置を用いて、一方の動画再生装置が記録した動画を他方の動画再生装置に複製した場合についてもこれと同様の問題が生じる。すなわち、動画再生装置は、他の動画再生装置から転送された動画を取得して複製した場合、他の動画再生装置側において動画の記録再開時点で記録された画像フレームを識別することはできない。その上、他の動画再生装置がシーケンシャルアクセスの記録媒体を用いるタイプであれば、他の動画再生装置側において動画の記録開始時点で記録された画像フレームも識別することはできない。
【０００５】
動画の記録を一時停止した後に再開した場合、記録の一時停止時及び再開時で、記録対象の状態若しくは内容が著しく変化している、又は記録対象自体が全く異なるため、動画の記録再開時点で記録された画像フレームを特定することは極めて重要である。
【０００６】
そこで、動画の記録再開時点で記録された画像フレームを、動画再生装置に識別させるためには、使用者は、記録又は複製した動画を動画再生装置にて一旦再生又は早送り再生させ、表示装置に表示されている映像から、動画としての連続性が消失したシーン（場面）を探し出し、その上で探し出したシーンが記録されている記録媒体のアドレスを手動で動画再生装置に記憶させなければならない。
【０００７】
このような再生映像にて、動画としての連続性が消失したシーンを確認する作業は極めて煩雑であるため、使用者は大変な負担を強いられる。また、例えば電源を遮断した場合、又は扱う対象の動画が変更された場合等には、使用者が手動で動画再生装置に記憶させた記録媒体のアドレスが消去されてしまう機種もある。加えて、記録媒体の特定のアドレスを記憶できる動画再生装置は、ランダムアクセスが可能な記録媒体を用いるタイプに限定される。
【０００８】
本発明は斯かる問題に鑑みてなされたものであり、その目的とするところは、動画を形成する複数の画像フレームに関し、直前の画像フレームに付加された日時情報よりも所定時間以上遅い日時情報が付加された画像フレーム、又は該画像フレームの近傍の画像フレームを識別することが可能なように記録媒体に記録する構成とすることにより、必要な部分の編集又は頭だし再生等に対応することが可能な状態で動画を記録媒体に記録しておくことができ、使用者の負担を軽減することができる動画再生装置を提供することにある。
【０００９】
また、本発明の他の目的は、動画をスキップ再生させる指示を受け付ける都度、記録媒体に記録してある動画を、識別することが可能なように記録した画像フレーム、又は該画像フレームに関連付けられた画像フレームから再生する構成とすることにより、動画の再生操作を向上することができる動画再生装置を提供することにある。
【００１０】
また、本発明の更に他の目的は、静止画を出力させる指示を受け付ける都度、識別することが可能なように記録した画像フレーム、又は該画像フレームに関連付けられた画像フレームを記録媒体から読み出して出力する構成とすることにより、出力した画像フレームを表示手段を用いて表示した場合に、動画としての連続性が消失したシーンを使用者に容易に認識させることができる動画再生装置を提供することにある。
【課題を解決するための手段】
【００１１】
本発明に係る動画再生装置は、日時情報が各別に付加された複数の画像フレームからなる動画を記録媒体に記録する記録手段を備え、記録媒体に記録してある動画を再生するようにしてある動画再生装置において、直前の画像フレームに付加された日時情報よりも所定時間以上遅い日時情報が付加された画像フレームを特定する特定手段と、該特定手段が特定した画像フレーム、又は該画像フレームの近傍の画像フレームを前記記録手段が記録媒体に記録したアドレスに識別符号を付加する付加手段とを備えることを特徴とする。
【００１２】
本発明にあっては、直前の画像フレームに付加された日時情報よりも所定時間以上遅い日時情報が付加された画像フレームを特定する。
【００１３】
例えば、自身が動画を記録する場合には、記録媒体に動画が記録された後、複数の画像フレームに各別に付加された日時情報を参照することにより、又は動画の記録若しくは記録再開の動作を監視することにより、直前の画像フレームに付加された日時情報よりも所定時間以上遅い日時情報が付加された画像フレームを特定する。
【００１４】
また、他の動画再生装置が記録した動画を取得して記録（複製）する場合には、各画像フレームに付加されている日時情報、つまり他の動画再生装置による記録時に付加された日時情報を参照することにより、取得した複数の画像フレームの中から、直前の画像フレームに付加された日時情報よりも所定時間以上遅い日時情報が付加された画像フレームを特定する。
【００１５】
そして、特定した画像フレーム、又は該画像フレームの近傍の画像フレーム、すなわち特定した画像フレーム、又は該画像フレームの数枚分程度前後の画像フレームのいずれかを記録媒体に記録したアドレスに識別符号を付加する。
【００１６】
前述のようにして特定された画像フレームは、動画再生装置が自身で動画を記録する場合、又は他の動画再生装置が動画を記録する場合のいずれにおいても、動画の記録開始時点又は記録再開時点で記録された画像フレーム、つまり動画としての連続性が消失したシーンに該当する。
【００１７】
このような動画としての連続性が消失したシーンを識別するためには、これに対応する画像フレームが概略として把握できればよい。よって、特定した画像フレームに限らず、特定した画像フレームの数枚分程度前後の画像フレームのいずれかを記録媒体に記録したアドレスに識別符号を付加すればよい。
【００１８】
なおここでいうアドレスとは、例えば、ハードディスク装置、又はＤＶＤ−Ｒ，ＲＷ，ＲＡＭ等の光ディスク等では、データをディスクに記録する際にタイムスタンプ及びデータを記録する順番と対応付けられているディスク上の物理的な位置を示す物理アドレス（トラック番号及びセクタ（前者はサーフェイス番号も含む））が該当し、半導体メモリではアドレスそのものが該当し、磁気テープでは、モータの回動に伴って正／逆方向に巻回されて走行するテープの物理的な位置が該当する。
【００１９】
本発明に係る動画再生装置においては、動画をスキップ再生させるスキップ再生指示を受け付けるスキップ再生受付手段と、該スキップ再生受付手段がスキップ再生指示を受け付けた場合に、前記識別符号が付加されているアドレス、又は該アドレスに関連付けられたアドレスへスキップして動画を再生する再生手段とを更に備えることを特徴とする。
【００２０】
本発明にあっては、動画をスキップ再生させるスキップ再生指示を受け付け、スキップ再生指示を受け付けた場合に、識別符号が付加されているアドレス、又は該アドレスに関連付けられたアドレスへスキップして動画を再生する。
【００２１】
例えば、特定した画像フレーム自体を記録してあるアドレスに識別符号が付加されている場合は、スキップ再生指示を受け付けたときに識別符号を参照することにより、識別符号が付加されたアドレスから動画をスキップ再生する。よって、スキップ再生指示を受け付ける都度、動画としての連続性が消失したシーンそのものからスキップ再生（頭だし再生）される。
【００２２】
また、特定した画像フレームの数枚程度後の画像フレームを記録してあるアドレスに識別符号が付加されている場合は、スキップ再生指示を受け付けたときに識別符号を参照することにより、識別符号が付加されたアドレスに記録されている画像フレームよりも数枚分程度前の画像フレーム（つまり特定した画像フレーム自体）が記録されているアドレス、又は識別符号が付加されたアドレスから動画をスキップ再生する。よって、スキップ再生指示を受け付ける都度、前者の場合は動画としての連続性が消失したシーンそのものからスキップ再生され、後者の場合は動画としての連続性が消失したシーンの略直後のシーンからスキップ再生される。なお、後者の場合であっても、連続性が消失したシーンと見なせるシーンからスキップ再生されるため支障はない。
【００２３】
また、特定した画像フレームの数枚分程度前の画像フレームを記録してあるアドレスに識別符号が付加されている場合には、スキップ再生指示を受け付けたときに識別符号を参照することにより、識別符号が付加されたアドレスに記録されている画像フレームよりも数枚分程度後の画像フレーム（つまり特定した画像フレーム自体）が記録されているアドレス、又は識別符号が付加されたアドレスから動画をスキップ再生する。よって、スキップ再生指示を受け付ける都度、前者の場合は直前の不要な数シーン分を排除した動画としての連続性が消失したシーンそのものからスキップ再生され、後者の場合は動画としての連続性が消失したシーンの略直前のシーンからスキップ再生される。なお、後者の場合であっても、再生をスキップした直後に動画としての連続性が消失したシーンが再生されるため支障はない。
【００２４】
本発明に係る動画再生装置においては、前記記録媒体は、ランダムアクセスが可能であり、静止画を出力させる静止画出力指示を受け付ける静止画出力受付手段と、該静止画出力受付手段が静止画出力指示を受け付けた場合に、前記識別符号が付加されているアドレス、又は該アドレスに関連付けられたアドレスに記録されている画像フレームを前記記録媒体から読み出して出力する出力手段とを更に備えることを特徴とする。
【００２５】
本発明にあっては、静止画を出力させる静止画出力指示を受け付ける。ここで、記録媒体をランダムアクセスが可能な記録媒体としていることにより、静止画出力指示を受け付けた場合に、識別符号が付加されているアドレス、又は該アドレスに関連付けられたアドレスに記録されている画像フレームを記録媒体から読み出して出力する。
【００２６】
例えば、特定した画像フレーム自体を記録してあるアドレスに識別符号が付加されている場合は、静止画出力指示を受け付けたときに識別符号を参照することにより、識別符号が付加されたアドレスに記録されている画像フレームを出力する。よって、静止画出力指示を受け付ける都度、動画としての連続性が消失したシーンそのものが出力される。
【００２７】
また、特定した画像フレームの数枚程度後の画像フレームを記録してあるアドレスに識別符号が付加されている場合は、静止画出力指示を受け付けたときに識別符号を参照することにより、識別符号が付加されたアドレスに記録されている画像フレームよりも数枚分程度前の画像フレーム（つまり特定した画像フレーム自体）、又は識別符号が付加されたアドレスに記録されている画像フレームを出力する。よって、静止画像出力指示を受け付ける都度、前者の場合は動画としての連続性が消失したシーンそのものが出力され、後者の場合は動画としての連続性が消失したシーンの略直後のシーンが出力される。特に後者の場合であっても、連続性が消失したシーンと見なせるシーンが出力されるため支障はない。
【００２８】
また、特定した画像フレームの数枚分程度前の画像フレームを記録してあるアドレスに識別符号が付加されている場合には、静止画出力指示を受け付けたときに識別符号を参照することにより、識別符号が付加されたアドレスに記録されている画像フレームよりも数枚分程度後の画像フレーム（つまり特定した画像フレーム自体）を出力する。よって、静止画出力指示を受け付ける都度、直前の不要な数シーン分を排除した動画としての連続性が消失したシーンそのものが必ず出力される。
【００２９】
本発明に係る動画再生装置は、日時情報が各別に付加された複数の画像フレームからなる動画を記録媒体に記録する記録手段を備え、記録媒体に記録してある動画を再生するようにしてある動画再生装置において、直前の画像フレームに付加された日時情報よりも所定時間以上遅い日時情報が付加された画像フレームを特定する特定手段と、該特定手段が特定した画像フレーム、又は該画像フレームの近傍の画像フレームを前記記録手段が記録媒体に記録したアドレスを記憶する記憶手段とを備えることを特徴とする。
【００３０】
本発明にあっては、前述した方法と同様に、直前の画像フレームに付加された日時情報よりも所定時間以上遅い日時情報が付加された画像フレームを特定する。そして、特定した画像フレーム、又は該画像フレームの近傍の画像フレーム、すなわち特定した画像フレーム、又は該画像フレームの数枚分程度前後の画像フレームのいずれかを記録媒体に記録したアドレスを、記憶手段に記憶する。
【００３１】
なお、特定した画像フレームに限らず、特定した画像フレームの数枚分程度前後の画像フレームのいずれかを記録媒体に記録したアドレスを記憶手段に記憶するのは、前述したように、動画としての連続性が消失したシーンを識別するために、これに対応する画像フレームが概略として把握できればよいからである。
【００３２】
本発明に係る動画再生装置においては、動画をスキップ再生させるスキップ再生指示を受け付けるスキップ再生受付手段と、該スキップ再生受付手段がスキップ再生指示を受け付けた場合に、前記記憶手段に記憶してある前記アドレス、又は該アドレスに関連付けられたアドレスへスキップして動画を再生する再生手段とを更に備えることを特徴とする。
【００３３】
本発明にあっては、動画をスキップ再生させるスキップ再生指示を受け付け、スキップ再生指示を受け付けた場合に、記憶手段に記憶してあるアドレス、又は該アドレスに関連付けられたアドレスへスキップして動画を再生する。
【００３４】
よって、スキップ再生指示を受け付ける都度、前述したアドレスに付加された識別符号を参照する場合と同様、記憶手段に記憶してあるアドレスを参照することにより、動画としての連続性が消失したシーン、又は該シーンの略直前若しくは略直後のシーンからスキップ再生される。特に後者の場合であっても、前述したように、スキップ再生に支障がないのは勿論である。
【００３５】
本発明に係る動画再生装置においては、前記記録媒体は、ランダムアクセスが可能であり、静止画を出力させる静止画出力指示を受け付ける静止画出力受付手段と、該静止画出力受付手段が静止画出力指示を受け付けた場合に、前記記憶手段に記憶してある前記アドレス、又は該アドレスに関連付けられたアドレスに記録されている画像フレームを前記記録媒体から読み出して出力する出力手段とを更に備えることを特徴とする。
【００３６】
本発明にあっては、静止画を出力させる静止画出力指示を受け付ける。ここで、記録媒体をランダムアクセスが可能な記録媒体としていることにより、静止画出力指示を受け付けた場合に、記憶手段に記憶してあるアドレス、又は該アドレスに関連付けられたアドレスに記録されている画像フレームを記録媒体から読み出して出力する。
【００３７】
よって、静止画出力指示を受け付ける都度、前述したアドレスに付加された識別符号を参照する場合と同様、記憶手段に記憶してあるアドレスを参照することにより、動画としての連続性が消失したシーン、又は該シーンの略直後のシーンが出力される。
【発明の効果】
【００３８】
本発明によれば、動画を形成する複数の画像フレームに関し、直前の画像フレームに付加された日時情報よりも所定時間以上遅い日時情報が付加された画像フレーム、又は該画像フレームの近傍の画像フレーム、つまり動画としての連続性が消失したシーンに対応する画像フレーム、又は該シーンの略直前若しくは略直後のシーンに対応する画像フレームを識別することが可能なように記録媒体に記録することができる。したがって、必要な部分の編集又は頭だし再生等に対応することが可能な状態で動画を記録媒体に記録しておくことができる。
【００３９】
しかも、これら画像フレームを識別するために参照される識別符号又はアドレスを、前者では記録媒体の該当するアドレスに、後者では記憶手段に、それぞれ自動的に付加又は記憶することがことができる。これにより、動画の記録後に、前述したような特定の画像フレームを動画再生装置に識別させるための手動操作を使用者に行わせる必要がなくなり、使用者の負担を軽減することができる。特に後者の場合は、動画再生装置に内蔵されている動画記録用の記録媒体の一部の記録領域を記憶手段とすることも可能である。
【００４０】
このような動画の記録方法は、ランダムアクセスが可能な記録媒体、シーケンシャルアクセスの記録媒体、動画再生装置に内蔵されている記録媒体、又は動画再生装置に着脱自在な記録媒体のいずれにも極めて有用である。特に、動画再生装置に着脱自在な記録媒体に、動画及び識別符号を記録した場合には、動画を記録した動画再生装置と同等の記録媒体の利用環境を（同種の）他の動画再生装置でも再現することが可能であるで、動画再生装置により動画が記録された記録媒体にとっては汎用性を、使用者にとっては利便性を高めることができる。
【００４１】
また、本発明によれば、動画をスキップ再生させるスキップ再生指示を受け付ける都度、記録媒体の特定のアドレスに付加された識別符号、又は記憶手段に記憶してある記録媒体の特定のアドレスを参照することにより、識別することが可能なように記録した画像フレーム、又は該画像フレームに関連付けられた画像フレームからスキップ再生することができる。これにより、動画としての連続性が消失したシーン、又は該シーンの略直前若しくは略直後のシーンからのスキップ再生（頭だし再生）を行うことができ、動画の再生操作を向上することができる。
【００４２】
このような頭だし再生は、ランダムアクセスが可能な記録媒体、又はシーケンシャルアクセスの記録媒体のいずれに対しても適用可能である。
【００４３】
更に、本発明によれば、記録媒体をランダムアクセスが可能な記録媒体としているので、静止画を出力させる静止画出力指示を受け付ける都度、記録媒体の特定のアドレスに付加された識別符号、又は記憶手段に記憶してある記録媒体の特定のアドレスを参照することにより、識別することが可能なように記録した画像フレーム、又は該画像フレームに関連付けられた画像フレームを記録媒体から読み出して出力することができる。
【００４４】
したがって、出力した画像フレームを表示手段を用いて表示した場合には、通常は埋もれて探し出すことが煩雑な動画としての連続性が消失したシーン、又は該シーンの略直後のシーンを使用者に容易に認識させることができる。
【発明を実施するための最良の形態】
【００４５】
以下に、本発明の動画再生装置を、ハードディスクに動画を録画するビデオレコーダに適用した場合の実施の形態について図面を用いて詳細に説明する。
【００４６】
（実施の形態１）
図１は本発明の実施の形態１に係るビデオレコーダ２０の構成例を示すブロック図である。ビデオレコーダ２０は、自身の遠隔操作が可能なリモートコントロール装置（以下、リモコン装置という）３０と光通信が可能に構成されている。リモコン装置３０は、使用者がビデオレコーダ２０を遠隔操作するために必要な各種ファンクションキーを備え、各キーにて使用者から種々の操作指示の入力を受け付ける。リモコン装置３０は使用者により各キーが押圧操作された場合、押圧操作されたキーに対応した光量の赤外線をビデオレコーダ２０へ発光する。
【００４７】
リモコン装置３０のファンクションキーには、例えばビデオレコーダ２０による動画の記録を開始する録画ボタン３１、ビデオレコーダ２０に記録してある動画の再生を開始する再生ボタン３２、ビデオレコーダ２０による動画の記録／再生を一時停止する一時停止ボタン３３、ビデオレコーダ２０による動画の記録／再生を停止（終了）する停止ボタン３４、ビデオレコーダ２０により再生されている動画をスキップ再生させるスキップボタン３５、同じく逆スキップ再生させる逆スキップボタン３６、及び各種メニューを表示するメニューボタン３７がある。
【００４８】
また、リモコン装置３０のファンクションキーには、ビデオレコーダ２０に記録してある動画の再生を早送りする早送りボタン、同じく早戻しする早戻しボタンの他、放送チャネルを設定するためのチャンネルボタン、ビデオレコーダ２０による動画の予約記録の際に開始日時及び終了日時の入力を受け付けるためのテンキー、十字ボタン、決定ボタン及びクリアボタン、並びにビデオレコーダ２０の各種機能を設定するための設定ボタン等（図示せず）も設けられている。
【００４９】
ビデオレコーダ２０は、ＣＰＵにて構成される制御部１を備える。制御部１は、システムバス２を介して、ＲＯＭ３、ＲＡＭ４、チューナ部５、選択部６、操作部７、表示部８、時計部９、記録処理部１０、ハードディスク装置（以下、ＨＤＤという）１１、再生処理部１２、リモコンコード解析部１３及び出力部１４と接続されており、ＲＯＭ３に格納してある制御プログラムに従ってこれらハードウェア各部の動作を制御する。制御部１による制御プログラムの実行時に発生するデータはＲＡＭ４に記憶される。
【００５０】
チューナ部５は、例えば放送中継基地８０の方向に向けて配置されたアンテナ５０に接続されており、放送中継基地８０から送信されたアナログのテレビジョン番組信号（映像信号）の内、使用者によって指定された１チャネルのテレビジョン番組信号を選択して選択部６へ出力する。勿論、衛星放送又はケーブルテレビ放送等に対応したチューナであってもよい。
【００５１】
選択部６には、チューナ部５の他、外部入力部１５も接続されている。外部入力部１５は、具体的にはＩＥＥＥ（Institute of Electrical and Electronics Engineers）１３９４規格に準拠したＤＶ端子であり、ケーブルを介してデジタルビデオカメラ（以下、ＤＶカメラという）６０に接続されており、ＤＶカメラ６０から転送されたＤＶ（Digital Video）形式の圧縮動画データを取得し、取得した圧縮動画データを選択部６へ出力する。なお、図では映像信号及び動画データの流れを破線の矢符にて示す。
【００５２】
ＤＶ形式の圧縮動画データとは、動画を形成する複数の画像フレームを、画像フレーム毎に圧縮し、各画像フレームに、撮像日時情報、並びに画像フレームを出力する順序及び出力間隔等の情報が付加された形式のデータであり、これらの各情報はＤＶカメラ６０側で付加されている。
【００５３】
選択部６は、チューナ部５から入力されたテレビジョン番組信号、又は外部入力部１５から入力された圧縮動画データ（ＤＶ形式）の内、一方を選択する機能を有し、選択したテレビジョン番組信号又は圧縮動画データを記録処理部１０、再生処理部１２又は出力部１４へ出力する。
【００５４】
操作部７は、ビデオレコーダ２０を使用者が操作するために必要なリモコン装置３０と同様の各種ファンクションキーを備え、各キーにて使用者から種々の操作指示の入力を受け付ける。操作部７は使用者により各キーが押圧操作された場合、押圧操作されたキーに対応した制御信号を制御部１へ送出し、制御部１は取得した制御信号に対応した処理を実行する。
【００５５】
リモコンコード解析部１３は、リモコン装置３０からの赤外線を受光して所定の電気信号に変換し、変換した電気信号を解析してリモコン装置３０が送信したコード信号を受け付け、受け付けたコード信号を制御部１へ送出する。制御部１は、リモコン装置３０から送信されてリモコンコード解析部１３によって解析されたコード信号を取得し、取得したコード信号に対応した処理を実行する。
【００５６】
表示部８は、液晶モニタ又はＬＥＤモニタ等の表示デバイスで構成されており、ビデオレコーダ２０の動作状態の表示、及び使用者へ操作指示の入力を促す画面の表示等を行う。なお、表示部８をタッチパネル方式とすることにより、操作部７の各種ファンクションキーの内、一部又は全部を代用することも可能である。
【００５７】
時計部９は、要求に応じて日時を制御部１及び記録処理部１０等へ通知する機能を有し、主としてタイマー予約によるテレビジョン番組の録画に利用される。
【００５８】
記録処理部１０は、ＡＤＣ（アナログ・デジタル・コンバータ）及びエンコーダ等を有する。記録処理部１０は、選択部６から入力されたアナログのテレビジョン番組信号をＡＤＣにてデジタルの動画データに変換し、変換したデジタルの動画データを更にエンコーダにより符号化圧縮してＭＰＥＧ−２形式の圧縮動画データに変換し、変換した圧縮動画データをＨＤＤ１１へ出力する。勿論、チューナ部５にて復調されたテレビジョン番組信号がＭＰＥＧ−２形式の圧縮動画データである場合には、ＡＤＣ及びエンコーダをスルーさせることはいうまでもない。
【００５９】
また、記録処理部１０は、選択部６から入力されたＤＶ形式の圧縮動画データをエンコーダによりＭＰＥＧ−２形式の圧縮動画データに変換してＨＤＤ１１へ出力する。
【００６０】
ＭＰＥＧ−２形式の圧縮動画データとは、動画を形成する複数の画像フレームを、画像フレーム毎に圧縮する他、時間軸方向にも圧縮し、各画像フレームに、記録日時情報、並びに画像フレームを出力する順序及び出力間隔等の情報が付加された形式のデータであり、これらの各情報は、制御部１の制御に基づいて記録処理部１０により付加される。ただし、ＤＶ形式の圧縮動画データをＭＰＥＧ−２形式に変換した場合は、変換前にＤＶカメラ６０側で付加されていた撮像日時情報は、記録処理部１０にて記録日時情報に更新してもよいが、本実施の形態では説明の便宜上、更新されず撮像日時情報はそのままであるものとする。
【００６１】
ＨＤＤ１１は、記録処理部１０に接続されており、内蔵するハードディスク（プラッタ）１１ａに記録処理部１０から入力されたＭＰＥＧ−２形式の圧縮動画データをタイトル名（図３参照）と対応付けてファイル単位で記録する。なお、タイトル名はデフォルトでは、記録開始日時、チャンネル及びチャプタ番号（図２参照）であるが、使用者がリモコン装置３０を操作することにより適宜変更可能である。
【００６２】
ハードディスク１１ａの記録領域の一部には、圧縮動画データを記録しておく記録領域とは別に、記録管理データベース１１ｂ（図２参照）を記録しておく記録領域が設けられている。
【００６３】
図２は記録管理データベース１１ｂの登録内容の一例を示す模式図である。記録管理データベース１１ｂには、ハードディスク１１ａに記録されているＭＰＥＧ−２形式の圧縮動画データに各別に、データを識別するためのファイル番号、記録した圧縮動画データのテレビジョン番組を放送したチャンネル、圧縮動画データの記録を開始した日時を示す記録開始日時、圧縮動画データの記録を終了した日時を示す記録終了日時、圧縮動画データの一部のデータ毎に割り当てられたチャプタ番号、及び圧縮動画データのハードディスク１１ａ上の記録領域、使用者がリモコン装置３０を用いて適宜入力したタイトル名を示す入力タイトル名等を含む記録情報が登録されている。図２に示す記録情報は、制御部１により適宜更新される。
【００６４】
図２におけるファイル番号が１，４，５の圧縮画像データは、テレビジョン番組をタイマー予約にて記録した例を示す。以下ではファイル番号がｍの圧縮画像データを、ファイルｍの圧縮動画データという。
【００６５】
また、図２におけるファイル２の圧縮画像データは、テレビジョン番組を使用者が手動で記録した例を示す。ファイル２の圧縮画像データに関する記録開始日時及び記録終了日時は共に２種（２段）あり、この２種の記録開始日時及び記録終了日時にそれぞれ対応するチャプタ番号欄にも「１」及び「２」の数字が登録されている。
【００６６】
これはビデオレコーダ２０がチャンネル８のテレビジョン番組を記録した際に、記録の一時停止が１回行われたためであり、テレビジョン番組の記録開始時点（「2004-07-02-19:00 」）から１回目の記録一時停止時点（「2004-07-02-19:14 」）までに記録されたテレビジョン番組に対応する部分圧縮画像データに割り当てられたチャプタ番号が１であることを示し、１回目の記録再開時点（「2004-07-02-19:16 」）から記録停止時点（「2004-07-02-19:28 」）までに記録されたテレビジョン番組に対応する部分圧縮画像データに割り当てられたチャプタ番号が２であることを示す。つまり、ファイル２の圧縮動画データは、以上の２つの部分圧縮動画データにて構成される。
【００６７】
更に、図２におけるファイル３の圧縮画像データは、ＤＶカメラ６０で記録した動画をビデオレコーダ２０に使用者が手動で記録（複製）した例を示す。この場合のチャンネル欄には、テレビジョン番組を記録した場合と異なり、数値ではなく「ＤＶ」が登録される。ファイル３の圧縮画像データに関する記録開始日時及び記録終了日時は共に３種（３段）あり、この３種の記録開始日時及び記録終了日時にそれぞれ対応するチャプタ番号欄にも「１」〜「３」の数字が登録されている。
【００６８】
これはＤＶカメラ６０側で動画を記録した際に、記録の一時停止が２回行われたためであり、ＤＶカメラ６０側での動画の記録開始時点（「2004-07-04-10:34 」）から１回目の記録一時停止時点（「2004-07-04-10:52 」）までに記録された動画に対応する部分圧縮画像データに割り当てられたチャプタ番号が１であることを示し、１回目の記録再開時点（「2004-07-04-10:55 」）から２回目の記録一時停止時点（「2004-07-04-11:27 」）までに記録された動画に対応する部分圧縮画像データに割り当てられたチャプタ番号が２であることを示し、２回目の記録再開時点（「2004-07-04-11:29 」）から記録終了時点（「2004-07-04-11:46 」までに記録された動画に対応する部分圧縮画像データに割り当てられたチャプタ番号が３であることを示す。つまり、ファイル３の圧縮動画データは、以上の３つの部分圧縮動画データにて構成される。
【００６９】
以上のように、チャプタ番号欄に数値が登録されている場合には、一のファイルの圧縮動画データが、登録されている最大数値の数だけ擬似的に分割されていることを示す。勿論、テレビジョン番組を使用者が手動で記録する際、及びＤＶカメラ６０側で動画を記録する際に記録が一度も一時停止されなかった場合には、ファイル１，４，５の圧縮動画データの場合と同様、記録開始日時及び記録終了日時は１種（１段）であり、この場合チャプタ番号欄には数値は登録されない。
【００７０】
なお、圧縮画像データの内、記録開始時点及び記録再開時点のそれぞれに対応する画像フレームを示すデータを記録してあるハードディスク１１ａのアドレスには、制御部１により識別符号が付加されている。
【００７１】
ここで図１のブロック図に戻って、再生処理部１２は、デコーダ及びＤＡＣ（デジタル・アナログ・コンバータ）等を有し、ＨＤＤ１１のハードディスク１１ａに記録されているＭＰＥＧ−２形式の圧縮動画データを読出してデコーダにより復号化伸張し、復号化伸張したデジタルの動画データをＤＡＣによりアナログの映像信号に変換して出力部１４へ出力する。なお、ＨＤＤ１１が備えるハードディスク１１ａはランダムアクセスが可能であるため、記録処理部１０と再生処理部１２とは、それぞれ独立してハードディスク１１ａにアクセスし、圧縮動画データの記録処理と再生処理とを行うことができる。
【００７２】
また、再生処理部１２は、選択部６から入力されたＤＶ形式の圧縮動画データをデコーダにより復号化伸張し、復号化伸張したデジタルの動画データをＤＡＣによりアナログの映像信号に変換して出力部１４へ出力する。
【００７３】
出力部１４は、映像ケーブル及び音声ケーブルを介してモニタ７０に接続されており、選択部６から入力されたアナログのテレビジョン番組信号（映像信号）、又は再生処理部１２から入力されたアナログの映像信号をモニタ７０へ出力し、映像信号に係る映像（動画）及び音声をそれぞれ、モニタ７０に表示及び出力させる。
【００７４】
ＲＯＭ３に格納されている各種メニューデータには、ハードディスク１１ａに記録してある各圧縮動画データ及び各部分圧縮動画データの記録開始アドレスに記録されているデータに係る画像フレームの一覧画像を作成するための静止画一覧画像作成データも含まれる。
【００７５】
よって、制御部１は、所定の条件下において（例えば、静止画出力指示の入力として、操作部７のメニューボタン、又はリモコン装置３０のメニューボタン３７が１回押圧された場合）、識別符号を参照してハードディスク１１ａに記録してある各圧縮動画データ及び各部分圧縮動画データの記録開始アドレスに記録されているデータを読み出し、読み出したデータに係る画像フレームを、再生処理部１２にて復号化伸張した後に適宜縮小して複数配置した静止画一覧画像９０（図３参照）を作成し、作成した静止画一覧画像９０を出力部１４へ出力する。これにより、制御部１が作成した静止画一覧画像９０がモニタ７０に表示される。
【００７６】
図３は制御部１にて作成された静止画一覧画像９０がモニタ７０に表示された例を示す図である。静止画一覧画像９０は、静止画９１ａ〜９１ｆ、タイトル名９２ａ〜９２ｆ、及びメッセージ欄９３により構成される。
【００７７】
静止画９１ａは、図２に示すファイル１の圧縮動画データの記録開始時に対応する画像フレームを縮小した画像である。静止画９１ｂ，９１ｃはそれぞれ、図２に示すファイル２の圧縮動画データを構成するチャプタ番号が１，２に割り当てられた各部分圧縮動画データの記録開始時に対応する画像フレームを縮小した画像である。静止画９１ｄ〜９１ｆはそれぞれ、図２に示すファイル３の圧縮動画データを構成するチャプタ番号が１〜３に割り当てられた各部分圧縮動画データの記録開始時に対応する画像フレームを縮小した画像である。以下ではチャプタ番号がｎに割り当てられた部分圧縮画像データを、チャプタｎの部分圧縮画像データという。
【００７８】
静止画９１ａ〜９１ｆの下側には、これらと対になったタイトル名９２ａ〜９２ｆがそれぞれ配置されている。タイトル名９２ａ〜９２ｆのそれぞれには、制御部１が静止画一覧画像９０を作成する際に、各画像フレームに対応する図２に示す記録開始日時欄、チャンネル欄及びチャプタ番号欄を参照することにより、記録開始日時、チャンネル及びチャプタ番号がこの順に列記されている。なお、入力タイトル名欄にタイトル名が登録されている場合には、タイトル名９２ａ〜９２ｆには、入力タイトル名が記される。図３における斜線部は、操作部７又はリモコン装置３０の十字ボタンにより静止画が選択されていることを示す。
【００７９】
メッセージ欄９３には、ビデオレコーダ２０に対する各種操作指示の入力を使用者に促すためのメッセージが記されており、このメッセージの内容は操作部７又はリモコン装置３０の操作条件により適宜変更される。
【００８０】
以上のような静止画一覧画像９０がモニタ７０に表示されるので、使用者は、ビデオレコーダ２０に記録してある所望の圧縮動画データ又は部分圧縮動画データを選択することができ、選択した所望の圧縮動画データ又は部分圧縮動画データを適宜再生又は削除することができる。
【００８１】
以上の如き構成のビデオレコーダ２０が行う動作を以下に説明する。
まず、ビデオレコーダ２０によるテレビジョン番組のタイマー予約録画について説明する。図４は本発明の実施の形態１に係るビデオレコーダ２０の制御部１によるテレビジョン番組のタイマー予約における記録処理の手順を示すフローチャートである。
【００８２】
まず制御部１は、記録開始指示の入力として、時計部９に日時の要求を行うことにより、時計部９から日時を取得し、取得した日時が、タイマー予約記録メニューにて予め指定された記録開始日時に到達したか否かを監視する（Ｓ１）。日時が記録開始日時に到達していない場合（Ｓ１：ＮＯ）には、到達の監視を続行する。一方、日時が記録開始日時に到達した場合（Ｓ１：ＹＥＳ）には、制御部１は、サブルーチンのデータ記録処理（Ｓ１０）を行う。
【００８３】
以下、データ記録処理（Ｓ１０）について説明する。図５は本発明の実施の形態１に係るビデオレコーダ２０の制御部１によるテレビジョン番組のデータ記録処理の手順を示すフローチャートである。
【００８４】
まず制御部１は、チューナ部５により予め指定されたチャンネルに選局復調され、選択部６を介して入力されたアナログのテレビジョン番組信号（映像信号）を、記録処理部１０にてデジタル化し、ＭＰＥＧ−２形式の画像フレームを示すデータに変換する（Ｓ１１）。次に制御部１は、変換した画像フレームを示すデータに、記録処理部１０にて記録日時情報、並びに画像フレームを示すデータを出力する順序及び出力間隔等の各種情報を付加する（Ｓ１２）。続いて制御部１は、各種情報が付加された画像フレームを示すデータをＨＤＤ１１のハードディスク１１ａに記録し（Ｓ１３）、図４のメインルーチンへ処理を戻す。
【００８５】
以上のサブルーチンのデータ記録処理（Ｓ１０）を行った後、制御部１は、画像フレームを示すデータのハードディスク１１ａにおける記録開始アドレスをＲＡＭ４に記憶する（Ｓ２１）。次に制御部１は、記録停止指示の入力として、時計部９に日時の要求を行うことにより、時計部９から日時を取得し、取得した日時が、タイマー予約記録メニューにて予め指定された記録終了日時に到達したか否かを判定する（Ｓ２２）。
【００８６】
ステップＳ２２において日時が記録終了日時に到達していないと判定した場合（Ｓ２２：ＮＯ）には、制御部１は、図５に示すサブルーチンのデータ記録処理（Ｓ１０）を行った後、ステップＳ２２へ移行して、日時が記録終了日時に到達したと判定するまで、ステップＳ２２及びＳ１０の処理を繰り返し行う。
【００８７】
一方、ステップＳ２２において日時が記録終了日時に到達したと判定した場合（Ｓ２２：ＹＥＳ）には、制御部１は、画像フレームを示すデータのハードディスク１１ａにおける記録終了アドレスをＲＡＭ４に記憶する（Ｓ２３）。次に制御部１は、ＲＡＭ４に記憶してある記録開始アドレス及び記録終了アドレスの他、記録処理についての各種記録情報を記録管理データベース１１ｂに登録する（Ｓ２４）（例えば図２のファイル１，４，５の圧縮動画データ参照）。
【００８８】
続いて制御部１は、画像フレームを示すデータを記録したハードディスク１１ａのアドレスの内、ＲＡＭ４に記憶してある記録開始アドレスに識別符号を付加し（Ｓ２５）、処理を終了する。
【００８９】
以上により、テレビジョン番組をタイマー予約録画する都度、圧縮動画データの記録後に、記録開始アドレスに識別符号が自動的に付加される。
【００９０】
次に、ビデオレコーダ２０によるテレビジョン番組の手動録画について説明する。図６は本発明の実施の形態１に係るビデオレコーダ２０の制御部１によるテレビジョン番組の手動における記録処理の一の手順を示すフローチャートである。
【００９１】
まず制御部１は、記録開始指示の入力として、録画ボタン（操作部７の録画ボタン又はリモコン装置３０の録画ボタン３１）の押圧を監視する（Ｓ３１）。録画ボタンが押圧されない場合（Ｓ３１：ＮＯ）には、制御部１は、押圧の監視を続行する。一方、録画ボタンが押圧された場合（Ｓ３１：ＹＥＳ）には、制御部１は、図５に示すサブルーチンのデータ記録処理（Ｓ１０）を行った後、画像フレームを示すデータのハードディスク１１ａにおける記録開始アドレスをＲＡＭ４に記憶する（Ｓ４１）。
【００９２】
続いて制御部１は、記録一時停止指示の入力として、一時停止ボタン（操作部７の一時停止ボタン又はリモコン装置３０の一時停止ボタン３３）、又は記録停止指示の入力として、停止ボタン（操作部７の停止ボタン又はリモコン装置３０の停止ボタン３４）のいずれかの押圧を監視する（Ｓ４２）。
【００９３】
ステップＳ４２において一時停止ボタン又は停止ボタンがいずれも押圧されない場合（Ｓ４２：押圧なし）には、制御部１は、図５に示すサブルーチンのデータ記録処理（Ｓ１０）を行った後、ステップＳ４２へ移行して、一時停止ボタン又は停止ボタンのいずれかが押圧されるまで、ステップＳ４２及びＳ１０の処理を繰り返し行う。
【００９４】
ステップＳ４２において一時停止ボタンが押圧された場合（Ｓ４２：一時停止ボタン）には、制御部１は、画像フレームを示すデータのハードディスク１１ａにおける記録一時停止アドレス、つまり転換前アドレス（動画としての連続性が保持された最後のシーン、つまり動画が新規に転換する前のシーンに対応する画像フレームを示すデータを記録してあるアドレス）をＲＡＭ４に記憶する（Ｓ４３）。
【００９５】
次に制御部１は、記録再開指示の入力として一時停止ボタン、又は記録停止指示の入力として停止ボタンのいずれかの押圧を監視する（Ｓ４４）。ステップＳ４４において一時停止ボタン又は停止ボタンがいずれも押圧されない場合（Ｓ４４：押圧なし）には、制御部１は、一時停止ボタン又は停止ボタンの押圧の監視を続行する。
【００９６】
ステップＳ４４において一時停止ボタンが押圧された場合（Ｓ４４：一時停止ボタン）には、制御部１は、図５に示すサブルーチンのデータ記録処理（Ｓ１０）を行った後、画像フレームを示すデータのハードディスク１１ａにおける記録再開アドレス、つまり新転換アドレス（動画としての連続性が消失したシーン、つまり動画が新規に転換した最初のシーンに対応する画像フレームを示すデータを記録してあるアドレス）をＲＡＭ４に記憶し（Ｓ５１）、次いでステップＳ４２へ移行して以降の処理を繰返す。
【００９７】
また、ステップＳ４２において停止ボタンが押圧された場合（Ｓ４２：停止ボタン）、又はステップＳ４４において停止ボタンが押圧された場合（Ｓ４４：停止ボタン）には、制御部１は、画像フレームを示すデータのハードディスク１１ａにおける記録終了アドレスをＲＡＭ４に記憶する（Ｓ５２）。次に制御部１は、ＲＡＭ４に記憶してある記録開始アドレス、転換前アドレス、新転換アドレス及び記録終了アドレスの他、記録処理についての各種記録情報を記録管理データベース１１ｂに登録する（Ｓ５３）（例えば図２のファイル２の圧縮動画データ参照）。
【００９８】
なお、転換前アドレスは、複数の部分圧縮動画データにて構成される一のファイルの圧縮動画データにおけるチャプタ番号が最終の部分圧縮動画データ以外の部分圧縮動画データの記録終了アドレスに該当する。同様に、新転換アドレスは、チャプタ１の部分圧縮動画データ以外の部分動画データの記録開始アドレスに該当する。
【００９９】
続いて制御部１は、画像フレームを示すデータを記録したハードディスク１１ａのアドレスの内、ＲＡＭ４に記憶してある記録開始アドレス及び新転換アドレスに識別符号を付加し（Ｓ５４）、処理を終了する。
【０１００】
以上により、テレビジョン番組を手動録画する都度、圧縮動画データの記録後に、記録開始アドレス及び新転換アドレスに識別符号が自動的に付加される。
【０１０１】
図７は本発明の実施の形態１に係るビデオレコーダ２０の制御部１によるテレビジョン番組の手動における記録処理の他の手順を示すフローチャートである。なお、図６のフローチャートと同様の処理については、その説明を簡略化する。
【０１０２】
まず制御部１は、録画ボタンの押圧を監視し（Ｓ６１）、押圧されない場合（Ｓ６１：ＮＯ）には押圧の監視を続行し、押圧された場合（Ｓ６１：ＹＥＳ）には、図５に示すサブルーチンのデータ記録処理（Ｓ１０）を行う。続いて制御部１は、画像フレームを示すデータの記録開始アドレスをＲＡＭ４に記憶し（Ｓ７１）、次いでＲＡＭ４に記憶した記録開始アドレスに識別符号を付加する（Ｓ７２）。
【０１０３】
続いて制御部１は、一時停止ボタン又は停止ボタンのいずれかの押圧を監視し（Ｓ７３）、両ボタンがいずれも押圧されない場合（Ｓ７３：押圧なし）には、図５に示すサブルーチンのデータ記録処理（Ｓ１０）を行った後、ステップＳ７３へ移行して、両ボタンのいずれかが押圧されるまで、ステップＳ７３及びＳ１０の処理を繰り返し行う。
【０１０４】
ステップＳ７３において一時停止ボタンが押圧された場合（Ｓ７３：一時停止ボタン）には、制御部１は、画像フレームを示すデータの転換前アドレスをＲＡＭ４に記憶する（Ｓ７４）。
【０１０５】
次に制御部１は、一時停止ボタン又は停止ボタンのいずれかの押圧を監視し（Ｓ７５）、両ボタンがいずれも押圧されない場合（Ｓ７５：押圧なし）には、両ボタンのいずれかの押圧の監視を続行する。
【０１０６】
ステップＳ７５において一時停止ボタンが押圧された場合（Ｓ７５：一時停止ボタン）には、制御部１は、図５に示すサブルーチンのデータ記録処理（Ｓ１０）を行う。次に制御部１は、画像フレームを示すデータの新転換アドレスをＲＡＭ４に記憶し（Ｓ８１）、次いでＲＡＭ４に記憶した新転換アドレスに識別符号を付加し（Ｓ８２）、ステップＳ７３へ移行して以降の処理を繰返す。
【０１０７】
また、ステップＳ７３において停止ボタンが押圧された場合（Ｓ７３：停止ボタン）、又はステップＳ７５において停止ボタンが押圧された場合（Ｓ７５：停止ボタン）には、制御部１は、画像フレームを示すデータの記録終了アドレスをＲＡＭ４に記憶する（Ｓ８３）。次に制御部１は、記録処理についての各種記録情報を記録管理データベース１１ｂに登録し（Ｓ８４）、処理を終了する。
【０１０８】
以上により、テレビジョン番組を手動録画する都度、圧縮動画データの記録中に、記録開始アドレス及び新転換アドレスに識別符号が自動的に付加される。
【０１０９】
次に、ビデオレコーダ２０によるＤＶ形式の圧縮動画データの手動録画、つまりＤＶカメラ６０で録画した動画のビデオレコーダへの複製について説明する。図８は本発明の実施の形態１に係るビデオレコーダ２０の制御部１によるＤＶ形式の圧縮動画データの手動における記録処理の手順を示すフローチャートである。
【０１１０】
まず制御部１は、記録開始指示の入力として録画ボタンの押圧を監視する（Ｓ９１）。録画ボタンが押圧されない場合（Ｓ９１：ＮＯ）には、制御部１は、押圧の監視を続行する。一方、録画ボタンが押圧された場合（Ｓ９１：ＹＥＳ）には、制御部１は、サブルーチンのデータ記録処理（Ｓ１００）を行う。
【０１１１】
以下、データ記録処理（Ｓ１００）について説明する。図９は本発明の実施の形態１に係るビデオレコーダ２０の制御部１によるＤＶ形式の圧縮動画データのデータ記録処理の手順を示すフローチャートである。
【０１１２】
まず制御部１は、外部入力部１５及び選択部６を介して入力されたＤＶ形式の圧縮動画データの画像フレームを示すデータから撮像日時情報を抽出し（Ｓ１０１）、抽出した撮像日時情報を、いずれの画像フレームを示すデータに付加されていたかが識別できるようにＲＡＭ４に記憶する（Ｓ１０２）。続いて制御部１は、ＤＶ形式の画像フレームを示すデータを記録処理部１０にてＭＰＥＧ−２形式に変換し（Ｓ１０３）、圧縮形式を変換した画像フレームを示すデータをＨＤＤ１１のハードディスク１１ａに記録し（Ｓ１０４）、図８のメインルーチンへ処理を戻す。
【０１１３】
以上のサブルーチンのデータ記録処理（Ｓ１００）を行った後、制御部１は、画像フレームを示すデータのハードディスク１１ａにおける記録開始アドレスをＲＡＭ４に記憶する（Ｓ１１１）。次に制御部１は、記録停止指示の入力として停止ボタンが押圧されたか否かを判定する（Ｓ１１２）。
【０１１４】
ステップＳ１１２において停止ボタンが押圧されないと判定した場合（Ｓ１１２：ＮＯ）には、制御部１は、図９に示すサブルーチンのデータ記録処理（Ｓ１００）を行う。次に制御部１は、ＲＡＭ４を参照し、最新に記憶した画像フレームを示すデータの撮像日時情報が、直前に記憶した画像フレームを示すデータの撮像日時情報よりも所定時間以上経過しているか否か、つまりＤＶカメラ６０側での動画の記録の際に、動画の記録が一時停止又は停止されたか否かを判定する（Ｓ１２１）。ただし、この場合の所定時間は、ＤＶカメラ６０側での動画の記録の一時停止から再開への動作、及び動画の記録の停止から開始への動作に追随する最短の時間（例えば１秒）に規定されている。
【０１１５】
ステップＳ１２１において所定時間以上経過していないと判定した場合（Ｓ１２１：ＮＯ）には、制御部１は、ステップＳ１１２へ移行して以降の処理を繰返す。
【０１１６】
ステップＳ１２１において所定時間以上経過していると判定した場合（Ｓ１２１：ＹＥＳ）には、制御部１は、所定時間以上遅いと判定した画像フレームの直前の画像フレームを示すデータのハードディスク１１ａにおける記録アドレス、すなわち転換前アドレス、及び所定時間以上遅いと判定した画像フレームを示すデータのハードディスク１１ａにおける記録アドレス、すなわち新転換アドレスをＲＡＭ４に記憶し（Ｓ１２２）、次いでステップＳ１１２へ移行して以降の処理を繰返す。
【０１１７】
また、ステップＳ１１２において停止ボタンが押圧されたと判定した場合（Ｓ１１２：ＹＥＳ）には、制御部１は、画像フレームを示すデータのハードディスク１１ａにおける記録終了アドレスをＲＡＭ４に記憶する（Ｓ１２３）。次に制御部１は、ＲＡＭ４に記憶してある記録開始アドレス、転換前アドレス、新転換アドレス及び記録終了アドレスの他、記録処理についての各種記録情報を記録管理データベース１１ｂに登録する（Ｓ１２４）（例えば図２のファイル３の圧縮動画データ参照）。
【０１１８】
続いて制御部１は、画像フレームを示すデータを記録したハードディスク１１ａのアドレスの内、ＲＡＭ４に記憶してある記録開始アドレス及び新転換アドレスに識別符号を付加し（Ｓ１２５）、処理を終了する。
【０１１９】
以上により、ＤＶ形式の圧縮動画データを手動録画（複製）する都度、圧縮動画データの記録後に、記録開始アドレス及び新転換アドレスに自動的に識別符号が付加される。
【０１２０】
最後に、ビデオレコーダ２０による動画データの再生について説明する。図１０は本発明の実施の形態１に係るビデオレコーダ２０の制御部１による動画データの再生処理の手順を示すフローチャートである。
【０１２１】
まず制御部１は、再生開始指示の入力として、再生ボタン（操作部７の再生ボタン又はリモコン装置３０の再生ボタン３２）の押圧を監視する（Ｓ１３１）。再生ボタンが押圧されない場合（Ｓ１３１：ＮＯ）には、制御部１は再生ボタンの押圧の監視を続行する。一方、再生ボタンが押圧された場合（Ｓ１３１：ＹＥＳ）には、制御部１は、ＭＰＥＧ−２形式の圧縮動画データ又は部分圧縮動画データのハードディスク１１ａからの読み出しを記録開始アドレスから行い、読み出した圧縮動画データ又は部分圧縮動画データを再生処理部１２にて復号化伸張することにより、動画データを再生する（Ｓ１３２）。これにより、映像信号が出力部１４にて出力され、映像信号に基づく映像及び音声はそれぞれ、モニタ７０にて表示及び出力される。
【０１２２】
次に制御部１は、スキップ再生指示の入力として、スキップボタン（操作部７のスキップボタン若しくはリモコン装置３０のスキップボタン３５）、又は逆スキップ再生指示の入力として、逆スキップボタン（操作部７の逆スキップボタン若しくはリモコン装置３０の逆スキップボタン３６）のいずれが押圧されたかを判定する（Ｓ１３３）。
【０１２３】
ステップＳ１３３においてスキップボタンが押圧されたと判定した場合（Ｓ１３３：スキップボタン）には、制御部１は、ハードディスク１１ａの適宜のアドレスに付加されている識別符号を参照することにより、圧縮動画データ又は部分圧縮動画データのハードディスク１１ａからの読み出しを、次の記録開始アドレス、つまり再生中のアドレス以降の最近の識別符号が付加されたアドレスから行い、読み出した圧縮動画データ又は部分圧縮動画データを再生処理部１２にて復号化伸張することにより、動画データを再生する（Ｓ１３４）。
【０１２４】
例えば、図２に示す圧縮動画データにおいて、ファイル１の圧縮動画データの再生中にスキップボタンが押圧された場合には、ファイル２のチャプタ１の部分圧縮動画データの記録開始アドレスから頭だし再生される。また、ファイル３のチャプタ１の部分圧縮動画データの再生中にスキップボタンが押圧された場合には、同ファイルのチャプタ２の部分圧縮動画データの記録開始アドレス（新転換アドレス）から頭だし再生される。
【０１２５】
ステップＳ１３３において逆スキップボタンが押圧されたと判定した場合（Ｓ１３３：逆スキップボタン）には、制御部１は、ハードディスク１１ａの適宜のアドレスに付加されている識別符号を参照することにより、圧縮動画データ又は部分圧縮動画データのハードディスク１１ａからの読み出しを、前の記録開始アドレス、つまり再生中のアドレス以前の最近の識別符号が付加されたアドレスから行い、読み出した圧縮動画データ又は部分圧縮動画データを再生処理部１２にて復号化伸張することにより、動画データを再生する（Ｓ１３５）。つまりこの場合では、再生中の圧縮動画データ又は部分圧縮動画データの記録開始アドレス（後者は新転換アドレス）から頭だし再生される。
【０１２６】
ステップＳ１３３においてスキップボタン又は逆スキップボタンがいずれも押圧されないと判定した場合（Ｓ１３３：押圧なし）、又はステップＳ１３４若しくはＳ１３５の処理の後、制御部１は再生中の圧縮動画データ又は部分圧縮動画データの再生が完了したか否かを判定する（Ｓ１３６）。
【０１２７】
ステップＳ１３６において再生が完了していないと判定した場合（Ｓ１３６：ＮＯ）には、制御部１は、再生終了指示の入力として停止ボタンが押圧されたか否かを判定する（Ｓ１３７）。
【０１２８】
ステップＳ１３７において停止ボタンが押圧されないと判定した場合（Ｓ１３７：ＮＯ）には、制御部１は、ステップＳ１３２へ移行して以降の処理を繰り返す。
【０１２９】
また、ステップＳ１３６において再生が完了したと判定した場合（Ｓ１３６：ＹＥＳ）、又はステップＳ１３７において停止ボタンが押圧されたと判定した場合（Ｓ１３７：ＹＥＳ）には、制御部１は処理を終了する。
【０１３０】
（実施の形態２）
本発明の実施の形態２に係るビデオレコーダ２０の構成は、実施の形態１と同様であり、ビデオレコーダ２０が行う動作が異なる。以下、これについて説明する。なお、ビデオレコーダ２０が備えるＲＡＭ４は、電源がオフされた場合でも記憶内容を保持するメモリである。
【０１３１】
まず、本発明の実施の形態２に係るビデオレコーダ２０によるテレビジョン番組のタイマー予約録画について説明する。図１１は本発明の実施の形態２に係るビデオレコーダ２０の制御部１によるテレビジョン番組のタイマー予約における記録処理の手順を示すフローチャートである。なお、図１１のステップＳ２０１、及びステップＳ２２１〜Ｓ２２４の各ステップはそれぞれ、図４のステップＳ１、及びステップＳ２１〜Ｓ２４の各ステップに対応し、サブルーチンのデータ記録処理（Ｓ１０）は図５にて示してあるので、これらの説明は省略する。
【０１３２】
制御部１は、ステップＳ２２４の処理の後、ステップＳ２２１でＲＡＭ４に記憶した記録開始アドレスを、ステップＳ２２４で記録管理データベース１１ｂに登録したファイル番号と対応付けてＲＡＭ４に記憶し（Ｓ２２５）、処理を終了する。
【０１３３】
次に、ビデオレコーダ２０によるテレビジョン番組の手動録画について説明する。図１２は本発明の実施の形態２に係るビデオレコーダ２０の制御部１によるテレビジョン番組の手動における記録処理の手順を示すフローチャートである。なお、図１２のステップＳ２３１、ステップＳ２４１〜Ｓ２４４、及びステップＳ２５１〜Ｓ２５３の各ステップはそれぞれ、図６のステップＳ３１、ステップＳ４１〜Ｓ４４、及びステップＳ５１〜Ｓ５３の各ステップに対応し、サブルーチンのデータ記録処理（Ｓ１０）は図５にて示してあるので、これらの説明は省略する。
【０１３４】
制御部１は、ステップＳ２５３の処理の後、ステップＳ２４１及びＳ２５１でそれぞれＲＡＭ４に記憶した記録開始アドレス及び新転換アドレス（後者は部分圧縮動画データの記録開始アドレス）を、ステップＳ２５３で記録管理データベース１１ｂに登録したファイル番号及びチャプタ番号と対応付けてＲＡＭ４に記憶し（Ｓ２５４）、処理を終了する。
【０１３５】
次に、ビデオレコーダ２０によるＤＶ形式の圧縮動画データの手動録画について説明する。図１３は本発明の実施の形態２に係るビデオレコーダ２０の制御部１によるＤＶ形式の圧縮動画データの手動における記録処理の手順を示すフローチャートである。なお、図１３のステップＳ２９１、Ｓ３１１、Ｓ３１２、及びステップＳ３２１〜Ｓ３２４の各ステップはそれぞれ、図８のステップＳ９１、Ｓ１１１、Ｓ１１２、及びステップＳ１２１〜Ｓ１２４の各ステップに対応し、サブルーチンのデータ記録処理（Ｓ１００）は図９にて示してあるので、これらの説明は省略する。
【０１３６】
制御部１は、ステップＳ３２４の処理の後、ステップＳ３１１及びＳ３２２でそれぞれＲＡＭ４に記憶した記録開始アドレス及び新転換アドレスを、ステップＳ３２４で記録管理データベース１１ｂに登録したファイル番号及びチャプタ番号と対応付けてＲＡＭ４に記憶し（Ｓ３２５）、処理を終了する。
【０１３７】
最後に、ビデオレコーダ２０による動画データの再生について説明する。本発明の実施の形態２に係るビデオレコーダ２０の制御部１による動画データの再生処理の手順は、図１０に示すフローチャートと同様である。
【０１３８】
ただし、制御部１は、ステップＳ１３４においては、ファイル番号及びチャプタ番号に対応付けてＲＡＭ４に記憶してある記録開始アドレス及び新転換アドレスを参照することにより、圧縮動画データ又は部分圧縮動画データのハードディスク１１ａからの読み出しを次の記録開始アドレスから行って動画データをスキップ再生し、ステップＳ１３５においては、ファイル番号及びチャプタ番号に対応付けてＲＡＭ４に記憶してある記録開始アドレス及び新転換アドレスを参照することにより、圧縮動画データ又は部分圧縮動画データのハードディスク１１ａからの読み出しを前の記録開始アドレスから行って動画データを逆スキップ再生する点が、実施の形態１と異なる。
【０１３９】
なお、本実施の形態においては、制御部１は、所定の条件下において（例えば、静止画出力指示の入力として、操作部７のメニューボタン、又はリモコン装置３０のメニューボタン３７が１回押圧された場合）、ファイル番号及びチャプタ番号に対応付けてＲＡＭ４に記憶してある記録開始アドレス及び新転換アドレスを参照することにより、図３に示す静止画一覧画像９０を作成する。
【０１４０】
また、本実施の形態においては、ファイル番号及びチャプタ番号と対応付けた記録開始アドレス及び新転換アドレスをＲＡＭ４に記憶する構成としたが、これに限らず、ハードディスク１１ａに記録（記憶）する構成としてもよい。
【０１４１】
なお、前述した実施の形態１，２では、動画としての連続性が消失したシーンを識別すべく、各圧縮動画データ又は各部分圧縮動画データの識別符号を付加した又はＲＡＭ４に記憶した記録開始アドレス（後者は新転換アドレス）を、一のファイルの圧縮動画データをハードディスク１１ａに記録する際に、記録開始及び記録再開の動作を監視することにより、又は各画像フレームを示すデータに付加されている撮像日時情報を参照することにより特定したが、これに限らず、一のファイルの圧縮動画データをハードディスク１１ａに一旦記録した後、各画像フレームを示すデータに付加されている記録日時情報又は撮像日時情報を参照することにより特定してもよい。
【０１４２】
また、前述した実施の形態１では、各圧縮動画データ又は各部分圧縮動画データのハードディスク１１ａの記録開始アドレスに識別符号を付加したが、これに限らず、これらの記録開始アドレスの直前又は直後のアドレスに識別符号を付加してもよい。同様に、前述した実施の形態２では、各圧縮動画データ又は各部分圧縮動画データのハードディスク１１ａの記録開始アドレスをＲＡＭ４に記憶したが、これに限らず、これらの記録開始アドレスの前後のアドレスをＲＡＭ４に記憶してもよい。
【０１４３】
特に、圧縮動画データ及び部分圧縮動画データのスキップ再生及び逆スキップ再生を行うためにアクセスするアドレスは、記録開始アドレスの直前若しくは直後のアドレスに識別符号を付加した場合、又は記録開始アドレスの直前若しくは直後のアドレスをＲＡＭ４に記憶した場合のいずれの場合でも、識別符号が付加されているアドレスそのもの又はＲＡＭ４に記憶してあるアドレスそのものとしてもよく、また、記録開始アドレスとしてもよい。
【０１４４】
また、図３に示す静止画一覧画像９０を作成するためにアクセスするアドレスは、記録開始アドレスの直後のアドレスに識別符号を付加した場合、又は記録開始アドレスの直後のアドレスをＲＡＭ４に記憶した場合には、識別符号が付加されているアドレスそのもの又はＲＡＭ４に記憶してあるアドレスそのものとしてもよく、また、記録開始アドレスとしてもよい。一方、記録開始アドレスの直前のアドレスに識別符号を付加した場合、又は記録開始アドレスの直前のアドレスをＲＡＭ４に記憶した場合には、記録開始アドレスとする。
【０１４５】
更に、前述した実施の形態１，２においては、本発明の動画再生装置を、ハードディスク１１ａに動画を録画するビデオレコーダに適用したが、これに限らず、ＤＶＤ−Ｒ，ＲＷ，ＲＡＭ等の光ディスク、又は磁気テープに映像を録画するビデオレコーダに適用してもよい。
【０１４６】
特に、光ディスクに動画を録画するビデオレコーダに適用し、適宜のアドレスに識別符号を付加する場合には、バードディスク１１ａに記録する場合と同様、一のファイルの圧縮動画データを記録する都度、適宜のアドレスに識別符号を付加してもよく、また、光ディスクに複数のファイルの圧縮動画データを記録した後、いわゆるディスクのファイナライズ処理を行う際に、各画像フレームを示すデータに付加されている記録日時情報又は撮像日時情報を参照することにより、適宜のアドレスに識別符号を付加してもよい。
【０１４７】
また、磁気テープに動画を録画するビデオレコーダに適用した場合には、動画の記録開始時点及び記録再開時点以降の直近の時点で記録される動画フレームを示すデータのアドレス、又は動画の記録一時停止時点及び記録停止時点で記録される動画フレームを示すデータのアドレスに、動画データの記録と同時的に磁気テープに識別符号を適宜付加することができる。ただし、動画の記録一時停止時点及び記録停止時点より前の直近の時点で記録される動画フレームを示すデータのアドレスには、動画データの記録と同時的に磁気テープに識別符号を付加することはできないが、この場合でも磁気テープの特定のアドレスを、記憶手段（例えば不揮発性メモリ）に記憶しておくことで実現できることは勿論である。
【０１４８】
更にまた、前述した実施の形態１，２においては、本発明の動画再生装置を、ビデオレコーダに適用したが、これに限らず、ＤＶカメラに適用してもよい。
【図面の簡単な説明】
【０１４９】
【図１】本発明の実施の形態１に係るビデオレコーダの構成例を示すブロック図である。
【図２】記録管理データベースの登録内容の一例を示す模式図である。
【図３】制御部にて作成された静止画一覧画像がモニタに表示された例を示す図である。
【図４】本発明の実施の形態１に係るビデオレコーダの制御部によるテレビジョン番組のタイマー予約における記録処理の手順を示すフローチャートである。
【図５】本発明の実施の形態１に係るビデオレコーダの制御部によるテレビジョン番組のデータ記録処理の手順を示すフローチャートである。
【図６】本発明の実施の形態１に係るビデオレコーダの制御部によるテレビジョン番組の手動における記録処理の一の手順を示すフローチャートである。
【図７】本発明の実施の形態１に係るビデオレコーダの制御部によるテレビジョン番組の手動における記録処理の他の手順を示すフローチャートである。
【図８】本発明の実施の形態１に係るビデオレコーダの制御部によるＤＶ形式の圧縮動画データの手動における記録処理の手順を示すフローチャートである。
【図９】本発明の実施の形態１に係るビデオレコーダの制御部によるＤＶ形式の圧縮動画データのデータ記録処理の手順を示すフローチャートである。
【図１０】本発明の実施の形態１に係るビデオレコーダの制御部による動画データの再生処理の手順を示すフローチャートである。
【図１１】本発明の実施の形態２に係るビデオレコーダの制御部によるテレビジョン番組のタイマー予約における記録処理の手順を示すフローチャートである。
【図１２】本発明の実施の形態２に係るビデオレコーダの制御部によるテレビジョン番組の手動における記録処理の手順を示すフローチャートである。
【図１３】本発明の実施の形態２に係るビデオレコーダの制御部によるＤＶ形式の圧縮動画データの手動における記録処理の手順を示すフローチャートである。
【符号の説明】
【０１５０】
１  制御部
３  ＲＯＭ
４  ＲＡＭ
７  操作部
１０  記録処理部
１１  ＨＤＤ
１１ａ  ハードディスク
１１ｂ  記録管理データベース
１２  再生処理部
１３  リモコンコード解析部
１５  外部入力部
２０  ビデオレコーダ
３０  リモコン装置
３５  スキップボタン
３６  逆スキップボタン
３７  メニューボタン
６０  ＤＶカメラ
【図１】
2006074632.tif 000003
【図２】
2006074632.tif 000004
【図３】
2006074632.tif 000005
【図４】
2006074632.tif 000006
【図５】
2006074632.tif 000007
【図６】
2006074632.tif 000008
【図７】
2006074632.tif 000009
【図８】
2006074632.tif 000010
【図９】
2006074632.tif 000011
【図１０】
2006074632.tif 000012
【図１１】
2006074632.tif 000013
【図１２】
2006074632.tif 000014
【図１３】
2006074632.tif 000015